(57)【要約】      （修正有）【課題】アルファベット等の文字モードにおいて、なるべく文字入力キーを何度も押さなくても文字入力キーが担当する複数の文字が入力できる画面付通信機器を提供する。【解決手段】各文字入力キーを押し続けることにより、押下している文字入力キーが担当する複数の文字が登録順に順次入れ替わる文字入力形態で、指定する文字が画面表示された時点で、文字入力キーを放すことにより指定する文字の入力が可能になる文字入力手段で、各文字入力キーが担当する一番目に登録されている文字から、次に登録されている文字に移る堺辺りの、短い時間帯に文字入力箇所や入力が可能な文字を表示する箇所に、可視光による点滅表示が表れることで、文字の入替のサインをユーザーに送ることで、ユーザーは指定する文字の入力時間帯でタイミング良くキーを放すことができる。【選択図】図２
2009157933.tif 000002
【特許請求の範囲】
【請求項１】
文字入力キーが１５個以内の少数キーによる画面付通信機器の文字入力の機能形態が、文字入力キーを押し続けている時間の違いによって、各文字入力キーが担当する複数の文字が登録順に、順次入力が可能となる画面付通信機器において、文字入力キーを押し続けて一つの文字の入力が可能な時間帯Ｔ秒未満から、次の文字が入れ替わるＴ秒辺りから後の短い時間帯Ｓ秒間のみ、画面上の文字入力箇所や入力が可能な文字を表示する箇所Ａに可視光による点滅表示が行われることを特徴とする文字入力装置。
【請求項２】
文字入力キーが１５個以内の少数キーによる画面付通信機器の文字入力の機能形態が、文字入力キーを押し続けている時間の違いによって、各文字入力キーが担当する複数の文字が登録順に、順次入力が可能になる画面付通信機器において、一つの文字が可能な押下時間帯であるＴ秒未満の内の一定時間帯ＦＴ秒間は、入力が可能な文字を表示する箇所Ａや文字入力箇所に入力が可能な文字の表示が通常よりも拡大して表示された後、次の文字に移る間際や当該キーを放した後は通常の文字が表示されることを特徴とする文字入力装置。
【請求項３】
一文字入力において、文字入力キーを毎Ｔ秒未満での押下の場合は、トグル方式と同様に押下した文字入力キーが登録順に順次入力でき、一文字入力において文字入力キーをＴ秒以上長押しをする初回のＴ秒以上の長押しの場合の文字入力形態は、Ｔ秒経過ごとに押下している文字入力キーが担当する文字が登録順に入力が可能になり、一文字入力の操作中の長押しの内の２回目以降のＴ秒以上の長押しの場合は、毎Ｔ秒以上長押しするごとに１回目のＴ秒以上の長押しで入力が可能になった文字や、Ｔ秒未満の押下で入力が可能になった文字の一つ前に登録されている文字から、毎Ｔ秒以上長押しごとに、当該文字入力キーが担当する文字登録の逆順で順次入力できることを特徴とする請求項１，２の内の１に記載の文字入力装置。
【請求項４】
文字入力キーが１５個以内の少数キーによる画面付通信機器の文字入力の機能形態が、文字入力キーを押し続けている時間の違いによって各文字入力キーが担当する複数の文字が順次入れ替わる機器において、文字入力キーを押す力の強弱を検知して、押し圧力が強い方が文字の入れ替えが早くなることを特徴とする文字入力装置。
【請求項５】
各文字入力キーの押下時に、文字入力箇所や入力が可能な文字を表示する箇所Ａや当該文字入力キー箇所が、当該キー担当の入力が可能な文字の番順枠の内で後順枠の文字の入力が可能になる入れ替え時に色彩表示が点滅するか、中程の文字順枠と後順枠の文字が入力できる文字入れ替え時にそれぞれ色の異なる色彩表示が点滅するか、早番順の文字と中程の文字順枠と後順枠のそれぞれの文字が入れ替え時にそれぞれ色の異なる色彩表示が点滅することを特徴とする請求項１，２，３，４の内の１に記載の文字入力装置。
【発明の詳細な説明】
【技術分野】
【０００１】本発明は、メール機能付固定電話や携帯電話やＰＤＡ等タッチパネル表示画面付通信機器の入力部に設置したテンキー等１５個以内の文字入力キーを使って行う文字入力装置。
【背景技術】
【０００２】メール機能が忖いた固定電話や携帯電話やＰＤＡ等は、通信ネットワークに接続して電子メールを送受信できる機能を備えている。そして、これらを使って文字メッセージや画像等を相手に送信するのであるが、小型であるがゆえにＰＤＡ等タッチパネル表示画面付通信機器の場合はタッチペンを使ったり、携帯電話の場合は主にテンキー等の少数キーによる文字入力手段をとる。そして、少数キーによる文字入力においては、少数キーである各文字入力キーに複数の文字を分担させるかたちであり、従来の携帯電話等は毎押下ごとに文字が入れ替わるトグル入力方式が一般的である。【０００３】
【特許文献１】  特開２００３−２６４６２０
【特許文献２】  特開２００１−３０６２３１
【特許文献３】  特開２００４−３１０５１９
【発明の開示】
【発明が解決しようとする課題】
【０００４】トグル方式の最大の欠点は、後順の文字を入力する場合に、何回も文字入力キーを押下しなければならない点である。そこで、文字入力キーを押し続けることで押下している文字入力キーが担当する文字が順次入れ替わり入力できる入力方式はあるが、指定する文字でタイミング良く放す文字入力操作はむずかしい。【０００５】そこで、各文字の入力が可能な時間を長くすることで、指定する文字の当該時間帯で放すことがたやすくなる。各文字が入力できる時間を延ばすと、後順の文字を入力する場合は時間がかかるようになるので、せっかちの方には不向きとなる。【０００６】また、タッチパネル画面付通信機器において、画面上に表示する数字キーや文字入力キーは、ボタンキーと異なり押下した時のキーが沈むという指の触感が無い。そして、その硬い画面上を何回も押下するという操作手段は、文字入力に不向きである。
【課題を解決するための手段】
【０００７】上記課題を解決するための本発明のコンセプトとして、アルファベット等の文字モードにおいて、なるべく文字入力キーを何度も押さなくても文字入力キーが担当する複数の文字が入力できて、更には操作が簡単で、誰にでも分かりやすく文字入力でき、更に指定する文字の入力を間違えた場合でも、直ぐに修正ができる文字入力システムにすることを基本コンセプトとして考えた。【０００８】文字入力キーが１５個以内の少数キーによる画面付通信機器の文字入力手段として、上記少数キーである文字入力キーを押し続けることにより、押下している文字入力キーが担当する複数の文字が文字登録順に順次入れ替わる文字入力形態で、指定する文字が画面表示された時点で、文字入力キーを放すことにより指定する文字の入力が可能になる文字入力手段で、各文字入力キーが担当する一番目に登録されている文字から、次に登録されている文字の入力に移る堺辺りの、短い時間帯に画面の文字入力箇所又は入力が可能な文字を表示する箇所Ａに、可視光による点滅表示が行われる文字切替サインをユーザーに送ることで、ユーザーは指定する文字の時間帯でタイミング良くキーを放すことができる。【０００９】または、画面上の文字表示で各文字入力キーが担当する複数の文字の内の各文字の表示時間帯の内の一定時間帯の文字表示が、通常の文字の表示よりも拡大して表示することで、指定する文字の表示時間帯で的確に文字入力キーをタイミング良く放しやすい。【００１０】また、指定する文字より後の文字まで移ってしまった後にキーを放した場合に、再度同キーを続けてＴ秒以上長押しをすると逆順で、毎Ｔ秒以上長押しごとに順次文字が入力できるので、文字入力のミスを直ちに修正入力できる。【００１１】例えば、２番キーの担当する文字がａｂｃＡＢＣだとすると、２番キーをＴ秒以上長押ししてＡを入力したい時に、キーを放すタイミングを間違えて、ＢやＣの後の文字の入力まで移ってしまった場合に、一文字入力におけるＴ秒以上の長押しの内の２回目以降のＴ秒以上の長押しは、毎Ｔ秒以上長押しごとに一文字づつ文字が戻るので、Ｂの入力からＡの入力にするには、続けて再度２番キーを１回Ｔ秒以上長押しをするとＡの入力に入れ替わる。また、一文字入力の内で１回目のＴ秒以上の長押しでＣの入力になってしまったものをＡの文字に入れ替えるには、２番キーを続けて再度２回Ｔ秒以上長押しをすることでＡの入力が可能となる。【００１２】また、一文字入力において１回目のＴ秒以上の長押しで指定する文字がＡになるように長押し操作をしたのであるが、２番キーを早めに放してしまってｃになってしまった場合に、続けて再度２番キーを１回Ｔ秒未満で押下することでＡの入力が可能となる。【００１３】また、指定する文字が当該キーの担当文字の内で後順の場合は、当該キーを強く押すことで、早く指定する文字枠側に入れ替わることができるし、後順枠の文字が入力できる時間になったら、文字入力箇所や入力が可能な文字を表示する箇所Ａや当該キー箇所が早番順の文字枠の入力時は色彩表示されず、後順枠の文字入力時に色彩表示の点滅が行われるか、又は早番順の文字枠の入力時にも後順枠の文字入力時にも文字の入れ替え時に色彩表示が点滅するが、各文字枠のによって色の異なる色彩表示により、指定する文字辺りで文字入力キーを放すタイミングをはかることができる。
【発明の効果】
【００１４】上記の文字入力操作形態によって、何回もキーを押下しなくても各文字入力キー担当文字の内の後順の文字を入力するのも、１回の長押し操作を行うことで指定する後順の文字も入力することができる。そして、長押し操作で指定する文字の押下時間帯でキーを放すタイミングをとりやすくする為の手段として、文字と文字の替わり時に文字入力箇所や入力が可能な文字を表示する箇所Ａに可視光による点滅表示による切り替わりサインや、文字入力キーを長押しして各文字の押下時間帯の一定時間帯のみ入力できる文字表示が拡大表示を行うことで、やはり指定する文字の時間帯でのキーを放すタイミングをとりやすくしている。また、指定する文字でキーを放すことができずに、指定する文字よりも前の文字や後の文字になってしまっても簡単に修正できる。
更には、文字入力キーを強く押すことにより、早いスピードで当該キーが担当する後順枠の文字側の文字を入力することができる。
【発明が実施するための最良の形態】
【００１５】本発明の実施の明記するにあたり、画面付通信機器の内の携帯電話を主に用いて説明を行う。まず、従来の携帯電話の基本形態を説明する。
基本的にメモリ部は、ＲＯＭやＲＡＭ等の半導体メモリを記憶媒体としたもので、この記憶媒体には制御部の制御プログラムや制御データ、自機の設定データを記憶するエリアが設けられている。そして、メモリ部には送信メッセージ記憶エリアや、トグル入力データ記憶エリアと本特許の入力方式のデータエリア等が設けられていて、ユーザーがキー入力部の少数キーを操作して指定する文字等を、それぞれ対応する所定のテキストコードで記憶するエリアがある。又、メモリ部には各種フラグや各種カウンタ等も備わっている。
【００１６】次に、制御部は基本的にマイクロコンピュータ等を主制御として備え、各部を制御するもので、その制御機能としては自機と局とを接続して音声や個人情報等を表示する機能や、送信メッセージエリアに予め記憶させておいた文字や画像等をペイジャーや他の端末やパソコン通信ごとの業者に送信する機能を備えている。更に、制御部はトグル入力制御手段や本発明の入力制御手段やタイマ等を備えている。そして、図１は上記携帯電話の基本構造を示す回路ブロック図である。
【００１７】以下本発明のコンセプトとして、年配者や手の不自由な方は何回も文字入力キーを押すのが大変なので、できればキーを何回も押すことなく指定する文字を入力できる手段で、しかも入力操作が判りやすくできることを念頭において考えた発明である。
請求項１の内容から説明を行う。文字入力キーが１５個以内の少数キーによる画面付通信機器の文字入力の機能形態が、文字入力キーを押し続けることにより、押し続けている文字入力キーが担当する複数の文字が文字登録順に順次入れ替わる文字入力の形態で、各文字入力キーを押し続けて、一つの文字の入力が可能な時間帯Ｔ秒未満から、次の文字に入れ替わるＴ秒辺りから後の短い時間帯Ｓ秒間のみ、画面上の「文字入力箇所」や「入力が可能な文字を表示する箇所Ａ」に可視光による点滅表示が行われる。
【００１８】上記内容を図２で説明すると、タッチパネル画面付携帯電話の画面上に表示去れたＡＢＣ表示キーをタッチし続けている図が左側で右側がＳ秒間のみ文字の入れ替わり時に可視光による点滅が行われる説明図で、大文字と小文字の入力の違いにより色分けした一例である。このようにすることで、指定する文字の押下時間帯で放しやすくすることができるし、大文字と小文字の区別を素早く確認できる。また、仮名文字において各文字入力キーが担当する後順枠側と初順枠を色の異なる色彩光表示を行うことで、文字を確認しなくても色が異なる色彩光表示の点滅による色の視覚確認をもって指定する後順の仮名文字辺りで放しやすくできる。このような機能を備えるには、制御部に「色彩光点滅表示制御手段」と、メモリ部側には「色彩光点滅制御プログラム」が必要となる。そして、図３はｃからＡに移る時の（Ｔ秒×３）秒が経過して赤色光の点滅表示が行われることのフローチャートである。
【００１９】次に、請求項２の説明を行う。文字入力キーを押し続けている時間の違いによって、各文字入力キーが担当する複数の文字が登録順に、順次入力が可能になる携帯電話において、一つの文字が可能な押下時間帯であるＴ秒未満の内の一定時間帯ＦＴ秒間は、入力が可能な文字を表示する箇所Ａや文字入力箇所に入力が可能な文字の表示が通常よりも拡大して表示される。図４は、上記のことを説明する図であり、例えば７番キーが担当する文字がＰＱＲＳだとして説明した図である。
【００２０】このような機能を備えるには、制御部に「文字拡大表示制御手段」とメモリ部には「文字拡大表示制御プログラム」が必要となる。また、図５はＲが拡大表示された時のフローチャートである。
この案は、目の不自由な方でも文字が一時通常の文字表示よりも大きく拡大して表示されることで、指定する文字を正しく確認することかできる。
【００２１】次に、請求項３の説明を行う。一文字入力において、文字入力キーを毎Ｔ秒未満での押下の場合は、トグル方式と同様に押下ごとに当該キー担当の文字登録順に順次入力ができる。また、一文字入力において文字入力キーをＴ秒以上長押しをする初回のＴ秒以上の長押しの場合の文字入力の形態が、Ｔ秒経過ごとに押下している当該キーが担当する複数の文字が登録順に入力が可能となり、指定する当該文字の押下時間帯で放すことで当該文字が入力できる。
【００２２】また、一文字入力の操作途中でのＴ秒以上の長押しの内の２回目以降のＴ秒以上の長押しの場合は、毎Ｔ秒以上の長押しごとに一文字づつ逆順でもどる入力形態であり、１回目の長押しで入力が可能になった文字や、Ｔ秒未満の毎押下で入力が可能になった文字の一つ手前の文字からＴ秒以上の長押しごとに逆順で当該キーの担当文字が入力できる文字入力の機能形態を有している。図６は、３番キーが担当する文字がＤＥＦだとしての、文字入力の入れ替わりを示していて、当該キーの長押しによる文字の入れ替わり毎の替わり目（Ｔ秒）に「可視光による点滅表示」が表れる説明図である。図７は３番キーをＴ秒以上の長押しをして大文字のＥ入力まで行ったものを、再度３番キーを２回Ｔ秒以上で長押しして小文字のｆまで戻した説明図で、図８はそのフローチャートである。
そして、このような文字入力の機能形態にするには、「初回Ｔ秒以上の長押しによる文字入れ替え入力制御手段」と「再度Ｔ秒以上の長押しによる逆順文字入力制御手段」を制御部に、「初回Ｔ秒以上の長押しによる文字入れ替え入力制御プログラム」と「再度Ｔ秒以上の長押しによる逆順文字入力制御プログラム」をメモリ部に設置する必要がある。
【００２３】次に請求項４の説明を行う。文字入力キーが１５個以内の少数キーによる画面付通信機器の内の携帯電話において、文字入力の機能形態が文字入力キーを押し続けている時間の違いによって各文字入力キーが担当する複数の文字が順次入れ替わる機器において、文字入力キーを押す力の強弱を検知して、押し圧力が強い方や押し圧力が強い場合に、文字の入れ替え速度が早くなる文字入力制御を行う。そして、請求項５の内容も加えて説明を行う。
【００２４】このような文字入力の形態だと、文字入力キーを放すタイミングがとりずらくなる。そこで、二つの、機能形態を加えると請求項４の発案がベストになる。一つは、各文字入力キーを強く長押ししても、各キーが担当する文字の入力で最後の番順の文字入力まで行った後は、文字入力が最初の番順の文字に戻る（循環型）かたちでなく、最後の番順の文字入力で止まり、もし指定する文字が最後の文字でなく２文字逆に戻したい場合は、当該キーを２回Ｔ秒以上の長押しをすると二文字戻った文字の入力が出来る。もう一つ加える発案は、請求項５の発案である「色彩光点滅表示」を加えて、例えばタッチパネル画面付携帯電話のＪＫＬ表示キーを１回強く長押しして「ｊ，ｋ」の次の最後の文字１の入力までいってしまったものを「ｋ」に戻すには、ＪＫＬキーを１回Ｔ秒以上の長押しを行うと「ｋ」の入力に戻すこともできる。
【００２５】上記内容を図９で表していて、「色彩光点滅表示」がｊからｋへの替わり目は「緑色光点滅表示」での表示しなくてもいいが、次のｋからｌの替わり目の「赤色光点滅表示」は有った方が「ｌ」の入力が可能になったら瞬時にキーを放す「サイン」としての効果は大きい。図１０は図９のフローチャートである。また、「ｌ」から「ｊ」の文字入力に切り替えるには「ＪＫＬ表示キー」を再度Ｔ秒未満で１回短押しすると「ｊ」入力に切り替わる。また、色の異なる「色彩光点滅表示」は仮名文字の各行キーは、５文字以上のキーが多いので、中順枠の文字や後順枠の文字の替わり目に色の異なる「色彩光点滅表示」により、ユーザーの方に指定する文字の入力操作を判りやすく教えることができる。
【００２６】上記のような機能を有する内の、キーを押す圧力を検知する手段として、ボタンキーの場合は「圧力センサ」や「コントローラー」等により圧力を検知する。また、タッチパネル画面上の文字表示キーの場合は、静電容量変化方式や電磁誘導方式に押圧力変化方式を加えたかたち等により「押し圧力」を検知するかたちで、圧力を検知する基本機能は上記の「圧力センサ」や「コントローラー」等により圧力を検知するかたちは同じである。
また、「色彩光点滅表示」を実行するには「色彩光点滅表示制御手段」を制御部に、メモリ部には「色彩光点滅表示制御プログラム」を設置する必要がある。また、文字入力キーを強く押すことによる文字の入れ替わるスピードが早くなる「文字入力手段」として、アルファベットモードでは二段階で文字の入れ替わりるスピードが変わるかたちが良く、仮名モードでは三段階で文字の入れ替えスピードが変わるかたちが良いと思う。よって、「弱圧力と強圧力による文字入替入力制御手段」や「弱圧力と中圧力と強圧力による文字入替制御手段」を制御部に、メモリ部には「弱圧力と強圧力による文字入替入力制御プログラム」や「弱圧力と中圧力と強圧力による文字入替入力制御プログラム」が必要となる。
【００２７】また、図１１は英字テーブル図１２は仮名文字テーブルの一例である。今までに説明してきた中の「Ｔ秒未満の計測」や「Ｔ秒の計測」は、文字入力キーを毎押下ごとに計測するかたちで、計測方法はどの様な計測方法でも良い。例えは、メモリ部の「Ｔ秒設定プログラム」と制御部の「タイマ」によって、当該キーの押下時間を計測して、Ｔ秒未満であるとか、Ｔ秒以上であるとかを判定するして、文字の切替や「可視光点滅表示」等を実行するかたちとなる。
また、この発明は、携帯電話の他にＰＤＡや双方向通信ＴＶのリモコンやカーナビゲーションのタッチパネルモニター等の文字入力に利用することができる。
【図面の簡単な説明】
【００２８】
【図１】  携帯電話の基本構造を示す回路ブロック図
【図２】  可視光の点滅表示を説明した図
【図３】  ｃからＡに移る時の点滅表示の形態を表したフローチャート
【図４】  ７番キーを押し続けての文字の入替とＦＴ秒間の拡大文字表示の説明図
【図５】  Ｒを拡大表示した形態を表したフローチャート
【図６】  ３番キーを押し続けての文字の入替と可視光表示の説明図
【図７】  Ｅの入力まで行ったものを、ｆの入力まで戻す操作説明図
【図８】  図７の内容のフローチャート
【図９】  ＪＫＬ表示キーを「強」圧力で押し続けて、最後番順の１まで行った説明図
【図１０】  図９の内容のフローチャート
【図１１】  英字テーブルの一例
【図１２】  仮名文字テーブルの一例
【図１】
2009157933.tif 000003
【図２】
2009157933.tif 000004
【図３】
2009157933.tif 000005
【図４】
2009157933.tif 000006
【図５】
2009157933.tif 000007
【図６】
2009157933.tif 000008
【図７】
2009157933.tif 000009
【図８】
2009157933.tif 000010
【図９】
2009157933.tif 000011
【図１０】
2009157933.tif 000012
【図１１】
2009157933.tif 000013
【図１２】
2009157933.tif 000014